(57)【要約】【課題】従来の陶材築盛用の筆は画材用絵筆か使われていて弾力性の落ちる比較的安価な筆では築盛しにくい。品質の良い高価な筆が使われているがやはり陶材築盛用として十分とは言えない。築盛場面に応じて丸筆、平筆の大小いずれかの筆を選択して使うことは歯の形態を精密に築盛するには合理的な方法である。しかし用途別に高級な筆を揃えるのは経済的な負担となっている。また一方で頻繁な筆の持ち替えは作業中の能率を低下させるなどこれらの問題があった。【解決手段】代表実施例では丸筆の筆毛留め金具の断面形状を四角形となるように圧潰した。これにより高価、安価に問わず穂先に弾力が増し筆毛留め金具の断面形状が筆毛の束の形状にも影響して穂先までもシャープな稜線を形成すことが出来るので丸筆の様にも使え水を含ませて平にすれば平筆の様に泥状の陶材をすくい取ることが容易で、用途が広く築盛し易い陶材築盛用の筆を提供できる。【選択図】図２
2006102467.tif 000002
【特許請求の範囲】
【請求項１】
丸筆の筆毛留め金具の筆毛側の断面形状を多角形にしたことを特徴とする陶材築盛用の筆
【請求項２】
丸筆の筆毛留め金具の筆毛側の断面形状を帯円多角形にしたことを特徴とする陶材築盛用の筆
【発明の詳細な説明】
【発明の詳細な説明】
【技術分野】
【０００１】  本発明は、歯科技工のポーセレン補綴製作技術における陶材築盛用の筆に関する。
【背景技術】
【０００２】  従来、歯科技工の審美補綴で用いられるポーセレン技術では、筆によって複雑な歯の形態や微妙な色の焼き上がりを想定しながら泥状の陶材を歯の形態に築盛し、それを崩すことなく水分を少しずつ取りながら陶材の密度を高めていく、その後十分乾燥させ高温で焼成し患者の口元に似合った形態や色調の歯を作る技術である。この時の陶材築盛用の筆は泥状の陶材を筆先でその量を加減しながらすくい上げ築盛してゆく特殊な使い方をする。【０００３】  歯科技工のポーセレン技術で使われている筆は画材用の絵筆をそのまま利用しているのが一般的である。ポーセレン築盛用の筆は泥状の陶材を築盛する為のものであって極めて特殊な用途にもかかわらず多くの技工士はを画材用で絵の具を塗る為の絵筆を使っているのが現状である。【０００４】  既存の画材用の絵筆について説明すると第７図は、筆毛３を筆軸５に固定するための留め金具１の断面２が丸い丸筆と第８図の筆毛留め金具１の筆毛固定側を２方向から圧潰し断面２とした平筆とに大別できる。それら太い筆から細い筆まで段階的に分けられいる。
【発明が解決しようとする課題】
【０００５】  陶材築盛作業では穂先の形状と弾力が重要になる。まとまりがなく、シャープでないものや、穂先まで弾力性の無い比較的安価な筆は泥状の陶材をすくい取る作業のポーセレン用の筆としては築盛しにくかった。
【０００６】  臼歯部咬合面で隆線部への少量の陶材築盛や溝を細く形成するとき、細い筆を使うか又は穂先に弾力性のある丸筆が用いられる。そのほかの多量で広範囲な築盛のときは平筆や比較的太いの丸筆を使い分けることでより合理的で効率よく行うことが出来るので頻繁に筆を選択し持ち替えなければならない。このことは築盛作業をより複雑にしている。
【０００７】  歯科技工のポーセレン技術で使われる筆は主に天然動物の特定部位の毛で穂先に弾力があり、いわゆる腰のある筆と言われる高品質な筆が一般的に良いとされているが、やはり絵の具を塗るための画材用絵筆では、まだ十分に築盛し易いとは言えない。また高級な筆を用途別に取りそろえるのは経済的にも負担となってる。
【課題を解決するための手段】
【０００８】  本発明は目的を達成するために丸筆の筆毛留め金具の筆毛を固定している側の断面が多角形であったり又は帯円多角形になる様にした。
【０００９】  上記課題解決手段による作用は次の通りである。すなわち丸筆の筆毛留め金具の断面が多角形をした筆はの稜線と稜線の間の平らな面に沿って筆毛も平らとなる。と同時に多角形になった筆毛留め金具に沿って筆毛の形状も穂先までシャープな稜線を形成するので泥状の陶材をすくい易く出来るのである。
【００１０】  筆毛留め金具の断面形状が偶数で少数角（四角形が一番良い）ほど濡らした筆毛の束をさらに効果的に平らに出来るので前歯の唇面にある平らな面の築盛の時よく使われる平筆と同様な築盛効果を発揮すのである。
【００１１】  また、既存の丸筆の筆毛留め金具の筆毛を固定している側の金属製パイプ部が多角形になるように全方向から面をもって同時に圧潰する事によって圧潰する前の円形の断面に対して圧潰された後の断面積は小さくなる、その分筆毛の束に圧縮力が加わり密度が増す結果それまでより少しきつく締める効果となり、毛が乾いた状態のとき若干広がるが、筆毛に水を含ませたとき水の表面張力で毛先がまとまる範囲であれば安価な筆においても弾力性を増すことが出来ることを突き止めた。
【００１２】  丸筆の筆毛留め金具の断面を正多角形に圧潰した時、断面が最少角数であるほど断面積は小さくなる事が分かる。筆毛の束に圧縮力が加わりすぎると筆毛に水を含ませても水の表面張力より筆毛の広がる力の方が強い場合は穂先が一つにまとまらなくなる。これを避けるには、求める筆毛留め金具断面形状の隅角がシャープにならないように帯円多角形にする時に帯円隅角のアールの度合いを調整して筆毛の束にかかる圧縮力をコントロールすることが出来る。この様な帯円多角形でも筆毛に水を含ませれば穂先にシャープな稜線が形成する事も突き止めた。
【発明効果】
【００１３】  上述したように丸筆の筆毛留め金具の断面を多角形にする事で筆毛留め金具の稜線と稜線の間の平らな筆毛留め金具の面に沿って筆毛も平らとなり穂先もシャープな稜線が形成出来るので泥状の陶材をすくい取り易くなった。
【００１４】  また筆毛留め金具の断面形状が四角形である時、水を含んだ筆毛の束をさらに効果的に平らに出来るので前歯の唇面にある平らな面の築盛の時よく使われる平筆と同様な築盛効果を発揮すのである。また筆毛留め金具の断面が平筆の筆毛留め金具の断面に近い長方形であればより丸筆と平筆の性能を兼ね備える事になる。よって筆の選択、持ち替えをすることなく１本の筆によって効率よい築盛を実現しする為の陶材築盛用の筆を提供できる。
【００１５】  そして品質がそれほど高くない筆においても丸筆の筆毛留め金具の断面形状を多角形又は帯円多角形に圧潰して筆毛の束に適正な圧縮力を加えれば水を含ませたときにおいて穂先のまとまりも維持し弾力性をより強くする事ができるのである。
【発明の実施するための最良の形態】
【００１６】以下本発明の実施形態を図１〜図６に基づいて説明する。
【００１７】  第１実施例の第１図は筆毛留め金具１の断面２が三角形をした陶材築盛用の筆の平面図（ａ）及び筆毛留め金具１の筆毛側の断面図（ｂ）である。筆毛留め金具１の断面２を三角形にする事によって筆毛留め金具稜線Ｐに沿って筆毛３の断面形状も三角形となり穂先４でまでシャープな稜線Ｃを形成する。
【００１８】  第２実施例の第２図は筆毛留め金具１の断面２が四角形をした陶材築盛用の筆の平面図（ａ）及び筆毛留め金具１の筆毛側の断面図（ｂ）である。筆毛留め金具１の断面２を四角形にする事によって筆毛留め金具稜線Ｐに沿って筆毛３の断面形状も四角形となり穂先４でまでシャープな稜線Ｃを形成する。
【００１９】  第３実施例の第３図は筆毛留め金具１の断面２が五角形をした陶材築盛用の筆の平面図（ａ）及び筆毛留め金具１の筆毛側の断面図（ｂ）である。筆毛留め金具１の断面２が五角形にする事によって筆毛留め金具稜線Ｐに沿って筆毛３の断面形状も五角形となり穂先４でまでシャープな稜線Ｃを形成する。
【００２０】  第４実施例の第４図は筆毛留め金具１の断面２が六角形をした陶材築盛用の筆の平面図（ａ）及び筆毛留め金具１の筆毛側の断面図（ｂ）である。筆毛留め金具１の断面２が六角形にする事によって筆毛留め金具稜線Ｐに沿って筆毛３の断面形状も六角形となり穂先４でまでシャープな稜線Ｃを形成する。
【００２１】  第５実施例の第５図は筆毛留め金具１の断面２の三角形をシャープにせずに丸みを残し帯円稜線Ｒとした陶材築盛用の筆の平面図（ａ）及び筆毛留め金具１の筆毛側の断面図（ｂ）である。筆毛留め金具１の断面２が帯円三角形であっても筆毛留め金具１の帯円隅角Ｒに沿って筆毛３の断面形状も帯円三角形となるが筆毛３の途中から穂先４までシャープな三角形の筆毛稜線Ｃを形成する。
【００２２】  第６実施例の第６図は筆毛留め金具１の断面２の四角形をシャープにせずに丸みを残し帯円稜線Ｒとした陶材築盛用の筆の平面図（ａ）及び筆毛留め金具１の筆毛側の断面図（ｂ）である。筆毛留め金具１の断面２が帯円四角形であっても筆毛留め金具１の帯円隅角Ｒに沿って筆毛３の断面形状も帯円四角形となるが筆毛３の途中から穂先４までシャープな四角形の筆毛稜線Ｃを形成する。
【図面の簡単な説明】
【００２３】
【図１】筆毛留め金具の断面が三角形をした陶材築盛用の筆
【図２】筆毛留め金具の断面が四角形をした陶材築盛用の筆
【図３】筆毛留め金具の断面が五角形をした陶材築盛用の筆
【図４】筆毛留め金具の断面が六角形をした陶材築盛用の筆
【図５】筆毛留め金具の断面が帯円三角形をした陶材築盛用の筆
【図６】筆毛留め金具の断面が帯円四角形をした陶材築盛用の筆
【図７】丸筆
【図８】平筆
【符号の説明】
【００２４】（ａ）平面図
Ａ−Ａ切断線
（ｂ）断面図
Ａ−Ａ切断面
１筆毛留め金具（金属製パイプ部）
２断面
３筆毛
４穂先
５筆軸
Ｐ稜線（隅角）
Ｒ帯円稜線（帯円隅角）
Ｃ筆毛稜線
【図１】
2006102467.tif 000003
【図２】
2006102467.tif 000004
【図３】
2006102467.tif 000005
【図４】
2006102467.tif 000006
【図５】
2006102467.tif 000007
【図６】
2006102467.tif 000008
【図７】
2006102467.tif 000009
【図８】
2006102467.tif 000010